(57)【特許請求の範囲】
【請求項１】
底壁部、及び該底壁部の外周縁から立設された周壁部を有し、中皿を収容する容器本体と、
前記周壁部にヒンジ部を介して回動可能に連結され、前記容器本体を開閉可能とする蓋体と、を備えたコンパクト容器において、
前記周壁部のうち、前記ヒンジ部を回避した位置には、前記中皿が通過可能な通過孔が形成されるとともに、該通過孔を開閉可能とする開閉部材が設けられ、
前記開閉部材は、前記ヒンジ部の軸線上から離れた位置に設けられた回動軸周りに回動可能に構成され、
前記開閉部材は、前記開閉部材、及び前記蓋体の閉状態において、前記蓋体に係合可能な係合片を備え、
前記蓋体は、前記係合片に対応する部分に、前記蓋体の閉動作に伴い前記係合片に摺動して前記開閉部材を閉状態に案内する傾斜面を有していることを特徴とするコンパクト容器。
【発明の詳細な説明】
【技術分野】
【０００１】
本発明は、コンパクト容器に関する。
【背景技術】
【０００２】
従来から、底壁部、及び底壁部の外周縁から立設された周壁部を有し、例えば化粧品等の内容物が充填された中皿を収容する容器本体と、容器本体の周壁部にヒンジ部を介して連結され、容器本体を開閉可能とする蓋体と、を備えたコンパクト容器が知られている。
【０００３】
このようなコンパクト容器においては、中皿に充填された内容物を使い終わった後、中皿を取り外して、新たな内容物が充填された中皿に交換することで、コンパクト容器自体をそのまま使用し続けることがある。例えば下記特許文献１には、容器本体の底壁部に孔部を設け、この孔部に指等を挿入して容器本体内の中皿を押し出すことで、容器本体内の中皿を取り出すような構成が知られている。
【先行技術文献】
【特許文献】
【０００４】
【特許文献１】特開２０１０−７５２３９号公報
【発明の概要】
【発明が解決しようとする課題】
【０００５】
しかしながら、上述した従来の技術では、コンパクト容器の見栄えを維持した上で、中皿の交換作業を効率的に行うことに対しては改善の余地があった。
【０００６】
そこで、本発明は、前述した事情に鑑みてなされたものであって、その目的は、見栄えを維持した上で、中皿の交換作業を効率的に行なうことができるコンパクト容器を提供することである。
【課題を解決するための手段】
【０００７】
上記課題を解決するために、本発明は以下の手段を提案している。
本発明に係るコンパクト容器は、底壁部、及び該底壁部の外周縁から立設された周壁部を有し、中皿を収容する容器本体と、前記周壁部にヒンジ部を介して回動可能に連結され、前記容器本体を開閉可能とする蓋体と、を備えたコンパクト容器において、前記周壁部のうち、前記ヒンジ部を回避した位置には、前記中皿が通過可能な通過孔が形成されるとともに、該通過孔を開閉可能とする開閉部材が設けられ、前記開閉部材は、前記ヒンジ部の軸線上から離れた位置に設けられた回動軸周りに回動可能に構成され、前記開閉部材は、前記開閉部材、及び前記蓋体の閉状態において、前記蓋体に係合可能な係合片を備え、前記蓋体は、前記係合片に対応する部分に、前記蓋体の閉動作に伴い前記係合片に摺動して前記開閉部材を閉状態に案内する傾斜面を有していることを特徴とする。
【０００８】
このような特徴により、容器本体の周壁部に中皿が通過可能な通過孔を形成することで、通過孔を介して中皿の交換作業を行うことができる。特に、内容物を使いきった中皿を取り出した後、新たな内容物が充填された中皿を供給する際に、新たな内容物、及び中皿を傷付けずに容器本体内に供給できる。そして、この通過孔を開閉部材により開閉可能とすることで、中皿の交換作業時以外のときには、開閉部材が容器本体とともに、容器本体の周壁部を構成することになる。
したがって、従来のように容器本体に中皿の取出し用の孔を形成する場合に比べて、見栄えを維持した上で、中皿の交換作業を効率的に行なうことができる。
【０００９】
また、本発明のコンパクト容器において、前記開閉部材は、前記開閉部材、及び前記蓋体の閉状態において、前記蓋体に係合可能な係合片を備えていてもよい。
【００１０】
この場合には、開閉部材と蓋体とがともに閉状態において、開閉部材を蓋体に係合することで、蓋体が閉状態のときに開閉部材が不意に開いてしまうこと等を抑制することができる。
【発明の効果】
【００１１】
本発明に係るコンパクト容器によれば、見栄えを維持した上で、中皿の交換作業を効率的に行なうことができる。
【図面の簡単な説明】
【００１２】
【図１】本発明の実施形態におけるコンパクト容器の開状態を示す平面図である。
【図２】コンパクト容器の閉状態を示す図１のＡ−Ａ線に相当する断面図である。
【図３】コンパクト容器の閉状態を示す図１のＢ−Ｂ線に相当する断面図である。
【図４】コンパクト容器の閉状態を示す図１のＣ矢視図である。
【図５】図３のＤ部拡大図である。
【図６】図５に相当する拡大図であって、中皿の交換方法を説明するための説明図である。
【発明を実施するための形態】
【００１３】
以下、図面を参照し、本発明の実施形態に係るコンパクト容器を説明する。
図１〜３に示すように、本実施形態のコンパクト容器１は、例えば化粧品等の内容物を収容する携帯用の蓋付き容器であり、平面視矩形状の扁平容器である。このコンパクト容器１は、化粧料が充填された中皿Ｆ及び塗布具Ｐをそれぞれ収容する容器本体２と、容器本体２にヒンジ部４を介して連結された開閉可能な蓋体３と、を備えており、ヒンジ部４の反対側の縁部に、蓋体３の容器本体２に対する閉状態を維持する係合部５が設けられている。
【００１４】
なお、本実施形態では、コンパクト容器１の厚さ方向において、蓋体３側を上側とし、容器本体２側を下側とする。また、上下方向に直交する方向において、ヒンジ部４側を後側とし、係合部５側を前側とする。また、上下方向、及び前後方向に直交する水平方向を横方向とする。
【００１５】
容器本体２は、中皿Ｆを収容保持する第１凹部２１と塗布具Ｐを収容する第２凹部２２とが内部にそれぞれ形成された収容部であり、平面視矩形箱状の外装体６と、外装体６の内側に嵌合されて第１凹部２１、及び第２凹部２２をそれぞれ画成する内装体７と、を備えている。
【００１６】
外装体６は、底壁部３１と、底壁部３１の外縁から上方に向けて立設された周壁部３２と、を備えている。底壁部３１は、横方向に長い平面視で矩形状の板材である。
周壁部３２は、平面視で矩形環状に形成された壁部であり、底壁部３１に対して垂直に立設されている。具体的に、図１に示すように、周壁部３２は、ヒンジ部４を構成するヒンジ凹部３３が設けられた後側の後壁部３４（図１参照）と、前側の前壁部３５（図１参照）と、横方向両側の側壁部３６ａ，３６ｂと、を備えている。また、前壁部３５における横方向中央部には、凹状の切欠き部４５が形成され、この切欠き部４５の内側に係合部５が配置されている。
【００１７】
図１〜３に示すように、内装体７は、外装体６内を第１凹部２１、及び第２凹部２２をそれぞれ画成する第１枠部４１、及び第２枠部４２と、第１枠部４１、及び第２枠部４２の上端からそれぞれ外側に向けて張り出すフランジ部４３と、を備えている。
第１枠部４１、及び第２枠部４２は、中皿Ｆ及び塗布具Ｐをそれぞれ収容可能な大きさに形成された平面視で矩形環状のものであり、横方向に沿って並設されている。
フランジ部４３は、第１枠部４１及び第２枠部４２の上端同士を連設するとともに、外周縁が外装体６における周壁部３２の上端縁に係止されている。また、図１に示すように、フランジ部４３の前端部の横方向中央部において、上述した前壁部３５の切欠き部４５に対応する位置には、上述した係合部５が配置される開口部４４が形成されている。
【００１８】
図１〜３に示すように、蓋体３は、天壁部５１と、天壁部５１の外縁から下方に向けて垂下された周壁部５２と、を備えている。
天壁部５１は、容器本体２の底壁部３１と同様に横方向に長い平面視で矩形状の板材であり、閉状態において底壁部３１に上方で対向して配置されている。また、天壁部５１の下面には、鏡体９（図２参照）が接合されている。
周壁部５２は、平面視で矩形環状に形成された壁部であり、天壁部５１に対して垂直に形成されている。具体的に、周壁部５２は、ヒンジ部４を構成するヒンジ軸壁５３が設けられた後側の後壁部５４と、前側の前壁部５６と、横方向両側の側壁部５７ａ，５７ｂ（図３参照）と、を備えている。
【００１９】
ヒンジ軸壁５３は、上述したヒンジ凹部３３の内側に配置されており、このヒンジ軸壁５３における横方向の外側端部と、ヒンジ凹部３３と、が軸部５８を介して連結されている。これにより、容器本体２に対して蓋体３を回動可能に支持するヒンジ部４が構成されている。
【００２０】
図２に示すように、係合部５は、コンパクト容器１における前端部の横方向中央部において、上述した切欠き部４５の内側に配置され、容器本体２側に設けられた第１フック３７と、蓋体３側に設けられ、第１フック３７に係合可能な第２フック３８と、第１フック３７、及び第２フック３８の係合を解除するためのプッシュピース３９と、を備えている。
【００２１】
第１フック３７は、底壁部３１から上方に向けて立設されたガイド壁部６１を備えている。このガイド壁部６１は、横方向における容器本体２の開口部４４及び切欠き部４５に対応する位置において、容器本体２の前壁部３５よりも内側（後側）に配置され、その前端面が上方に向かうに従い後側に向けて傾斜する傾斜面６２とされている。そして、ガイド壁部６１の上部には、爪部６３が突出形成されている。また、ガイド壁部６１の下部には、前後方向に沿って延びるガイド穴６４が形成されている。
【００２２】
第２フック３８は、天壁部５１から下方に向けて垂下された縦壁部６６を備えている。縦壁部６６は、蓋体３の閉状態において、平面視で上述した第１フック３７と重なる位置に配置されている。また、縦壁部６６の下部には、蓋体３の閉状態において、容器本体２の開口部４４内に挿通され、上述した第１フック３７の爪部６３に係合可能な爪部６７が形成されている。
【００２３】
プッシュピース３９は、上述した切欠き部４５の内側で容器本体２に支持されている。具体的に、プッシュピース３９は、前後方向の位置が容器本体２、及び蓋体３の前壁部３５，５６と同等の位置に配置された押圧壁７１と、押圧壁７１の上部に形成され、上述した第１フック３７の傾斜面６２に当接する突起部７２と、押圧壁７１の下部に形成され、第１フック３７のガイド穴６４内に挿通されたベース部７３と、を備えている。
【００２４】
ここで、図１，４，５に示すように、容器本体２の側壁部３６ａ，３６ｂのうち、第１凹部２１側に形成された側壁部３６ａ、及び内装体７の第１枠部４１において側壁部３６ａに対応する部分には、横方向に向けて開口する通過孔７４が形成されている。この通過孔７４は、側壁部３６ａが横方向、及び上方に向けて開口されるとともに、第１枠部４１が側壁部３６ａの開口と横方向で重なる位置で横方向に向けて開口されて構成されている。
具体的に、通過孔７４は、横方向において、中皿Ｆの外形よりも大きく形成され、中皿Ｆが横方向に沿って通過可能に形成されている。また、通過孔７４の前後方向における両側には、容器本体２の底壁部３１において通過孔７４と一体で開口する一対の凹部７５（図１参照）が形成されている。そして、通過孔７４には、この通過孔７４を開閉可能とする開閉部材８１が設けられている。
【００２５】
開閉部材８１は、容器本体２の底壁部３１に形成された回動軸８２と、回動軸８２に回動可能に支持された開閉扉８３と、を備えている。
回動軸８２は、前記凹部７５における底壁部３１の前後方向の両端部から、それぞれ凹部７５内に向けて突出する一対の円柱状に形成されている。
【００２６】
開閉扉８３は、上述した通過孔７４を開閉可能とする扉本体９１と、開閉扉８３を回動軸８２に係合するための取付片９２と、を備えている。
扉本体９１は、横方向から見て通過孔７４と同等の大きさに形成された板材であり、通過孔７４を横方向の外側から覆うように配置されている。この場合、開閉扉８３の閉状態において、扉本体９１における横方向の外側に位置する面は、側壁部３６ａと面一に形成され、側壁部３６ａとともに容器本体２の周壁部３２を構成している。
また、扉本体９１における前後方向の中央部には、側壁部３６ａよりも上方に向けて張り出す張出し部９４（図４参照）が形成されている。なお、扉本体９１における前後方向で張出し部９４以外の部分は、側壁部３６ａと同等の高さに形成され、周壁部３２とともに内装体７のフランジ部４３に係止されている。
【００２７】
図５に示すように、取付片９２は、扉本体９１における前後方向の両側の下部から、横方向の内側に向けて突出する環状の部材であり、その横方向の内側端部には上述した回動軸８２を受け入れる開口部９３が形成されている。これにより、回動軸８２は、取付片９２の内側に係合され、開閉扉８３を回動軸８２回りに回動可能に連結している。
【００２８】
扉本体９１の張出し部９４には、横方向の外側に向けて窪んだ凹部９６が形成されている。一方、内装体７のフランジ部４３における前後方向で凹部９６に対応する位置には、横方向の外側に向けて突出する係合突起９５が形成されている。この係合突起９５は、開閉扉８３の閉状態において、扉本体９１の凹部９６にアンダーカット嵌合されるようになっている。つまり、係合突起９５の上面における横方向の外側端部には、上方に向けて突出する係合凸部９０が形成されており、凹部９６の上面から下方に向けて突出する係合凸部８９とアンダーカット嵌合する。なお、係合突起９５の下面は、横方向の外側に向かうに従い漸次上方に延びる傾斜面９９とされている。すなわち、上述した通過孔７４は、横方向の内側に向かうに従い上下方向の高さが漸次縮小するように形成される。
【００２９】
また、張出し部９４の横方向の内側端部には、上方に向けて突出する係合片９７が形成され、開閉扉８３及び上述した蓋体３の閉状態において、蓋体３の側壁部５７ａに係合されている。この場合、側壁部５７ａにおける横方向の内周縁において、前後方向で係合片９７に対応する部分には、上方に向かうに従い横方向の内側に向けて延びる傾斜面９８とされており、この傾斜面９８上に係合片９７が案内されるようになっている。
【００３０】
次に、上述したコンパクト容器１の使用方法として、主に中皿Ｆの交換方法について説明する。
まず、上述したように開閉扉８３は、閉状態において、凹部９６が内装体７の係合突起９５にアンダーカット嵌合されるとともに、係合片９７が蓋体３の側壁部５７ａに係合されている。
【００３１】
この状態で中皿Ｆを取り出すには、まず蓋体３を開状態とする。具体的には、係合部５の押圧壁７１を後方に押し込むと、プッシュピース３９の突起部７２がガイド壁部６１の傾斜面６２上を摺動することで、第２フック３８の爪部６７が上方に押し上げられ、第２フック３８の爪部６７と、第１フック３７の爪部６３と、の係合が解除される。そして、蓋体３を引き上げると、蓋体３がヒンジ部４の軸部５８回りに回動して、容器本体２が開放されるとともに、蓋体３の側壁部５７ａと開閉扉８３の係合片９７との係合も同時に解除される。
【００３２】
次に、開閉扉８３を開状態とする。具体的には、開閉扉８３の係合片９７を摘み、開閉扉８３を横方向の外側に向けて倒すと、開閉扉８３の凹部９６と内装体７の係合突起９５とのアンダーカット嵌合が解除され、開閉扉８３が回動軸８２回りに回動する。これにより、開閉扉８３が開状態となり、通過孔７４が開放される。
この状態で、第１凹部２１内に収容された中皿Ｆを横方向の外側に引き抜くと、中皿Ｆが通過孔７４を通過して容器本体２の外部へ引き出される。これにより、中皿Ｆの取り出しが完了する。
なお、中皿Ｆの取り出しについては、第１凹部２１の上側開口部から行ってもよい。
【００３３】
続いて、中皿Ｆを取り出した第１凹部２１内に、新たな化粧料が充填された中皿Ｆを供給する。この場合には、上述した中皿Ｆの取り出し方法とは逆の方法で、まず開閉扉８３を開状態に維持して、通過孔７４から中皿Ｆを挿入する。その後、開閉扉８３を閉状態とし、開閉扉８３の凹部９６とフランジ部４３の係合突起９５とをアンダーカット嵌合させる。
最後に、蓋体３を閉状態とし、開閉扉８３の係合片９７と蓋体３の側壁部５７ａとを係合させることで、中皿Ｆの交換作業が完了する。
【００３４】
このように、本実施形態によれば、容器本体２の周壁部３２（側壁部３６ａ）に中皿Ｆが通過可能な通過孔７４を形成することで、通過孔７４を介して中皿Ｆの交換作業を行うことができる。特に、化粧料を使いきった中皿Ｆを取り出した後、新たな化粧料が充填された中皿Ｆを供給する際に、新たな化粧料、及び中皿Ｆを傷付けずに第１凹部２１内に供給できる。そして、この通過孔７４を開閉部材８１（開閉扉８３）により開閉可能とすることで、中皿Ｆの交換作業時以外のときには、開閉部材８１が容器本体２とともに、外装体６を構成することになる。
したがって、従来のように容器本体２に中皿Ｆの取出し用の孔を形成する場合に比べて、見栄えを維持した上で、中皿Ｆの交換作業を効率的に行うことができる。
【００３５】
また、開閉扉８３と蓋体３とがともに閉状態において、開閉扉８３を蓋体３に係合することで、蓋体３が閉状態のときに開閉扉８３が不意に開いてしまうこと等を抑制することができる。
さらに、蓋体３の側壁部５７ａにおける係合片９７に対応する部分を傾斜面９８とすることで、蓋体３の閉動作時において、仮に開閉扉８３の閉状態が不完全であった場合であっても、開閉扉８３の係合片９７が傾斜面９８上を摺動して開閉扉８３を閉状態へと案内することができる。これにより、開閉扉８３を確実に閉状態にすることができる。
【００３６】
さらに、本実施形態の通過孔７４が、上述したように横方向の内側に向かうに従い上下方向の高さが漸次縮小するように形成されているため、中皿Ｆの取出し時には、通過孔７４から飛び出した中皿Ｆを摘んで取り出しやすく、また中皿Ｆの供給時には、中皿Ｆを通過孔７４内に挿入し易くすることができる。
【００３７】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、開閉部材８１（開閉扉８３）を回動軸８２回りに回動可能に構成したが、これに限らず、スライド等、通過孔７４を開閉させる構成であれば構わない。
また、上述した実施形態では、開閉部材８１を側壁部３６ａに形成する場合について説明したが、これに限らず、ヒンジ部４を回避した位置であれば構わない。
また、上述した実施形態では、中皿Ｆ、及び塗布具Ｐを容器本体２内に収容する場合について説明したが、これに限らず、中皿Ｆのみ、または中皿Ｆを含む３個以上の内容物を収容しても構わない。
さらに、上述した実施形態では、第１凹部２１、及び第２凹部２２を画成する内装体７を外装体６と別体で設ける構成について説明したが、これに限らず、外装体６と内装体７とを一体的に形成しても構わない。
【００３８】
また、上述した実施形態では、容器本体２の底壁部３１及び蓋体３の天壁部５１がそれぞれ平面視で矩形状のコンパクト容器１について説明しているが、本発明に係るコンパクト容器の形状は適宜変更可能である。例えば、コンパクト容器１の平面視の形状が円形や三角形、六角形等であってもよい。また、容器本体２の底壁部３１及び蓋体３の天壁部５１のうち、の少なくとも一方がドーム状に膨出した形状であってもよい。
【００３９】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００４０】
１…コンパクト容器  ２…容器本体  ３…蓋体  ４…ヒンジ部  ３１…底壁部  ３２…周壁部  ７４…通過孔  ８１…開閉部材  ９７…係合片  Ｆ…中皿
【図１】
0005913838.tif 000002
【図２】
0005913838.tif 000003
【図３】
0005913838.tif 000004
【図４】
0005913838.tif 000005
【図５】
0005913838.tif 000006
【図６】
0005913838.tif 000007